(57)【要約】【課題】背景技術よりも製造工数やコストが低減し得るインピーダンス式筋力測定装置、更に、身体の複数の特定部位の筋力も求め得るインピーダンス式筋力測定装置を提供する。【解決手段】筋肉選択入力手段により、測定のための身体の特定部位の筋肉を選択入力し、筋肉緩和状態指示手段及び筋肉緊張状態指示手段により、筋肉を緩和状態及び緊張状態にすべきことを指示し、インピーダンス測定手段により、筋肉緩和状態及び筋肉緊張状態のインピーダンスを測定し、インピーダンス変化度演算手段により、筋肉緩和状態と筋肉緊張状態とについてのインピーダンスの変化の度合いを演算し、筋力回帰式選択手段により、筋力回帰式記憶手段に記憶している複数の筋力回帰式の中から選択した筋肉に対応する筋力回帰式を選択し、筋力演算手段により、筋力回帰式を用いてインピーダンスの変化の度合いに対する身体の特定部位の筋力を演算する。【選択図】      図３                                                                                            
2005198849.tif 000002
【特許請求の範囲】
【請求項１】
身体の特定部位の筋肉を緩和状態にすべきことを指示する筋肉緩和状態指示手段と、
身体の特定部位の筋肉を緊張状態にすべきことを指示する筋肉緊張状態指示手段と、
身体の特定部位に接触するための電極セットを有し、前記電極セットから身体の特定部位に電流を供給すると共に電圧を検出することによって、前記筋肉緩和状態指示手段で指示した後における身体の特定部位の筋肉緩和状態のインピーダンス及び前記筋肉緊張状態指示手段で指示した後における身体の特定部位の筋肉緊張状態のインピーダンスを測定するインピーダンス測定手段と、
前記インピーダンス測定手段により測定した前記筋肉緩和状態のインピーダンスと前記筋肉緊張状態のインピーダンスとのインピーダンスの変化の度合いを演算するインピーダンス変化度演算手段と、
身体の特定部位の筋肉のインピーダンスの変化の度合いと身体の特定部位の筋力との相関関係を示す筋力回帰式を記憶する筋力回帰式記憶手段と、
前記インピーダンス変化度演算手段により演算した前記インピーダンスの変化の度合いを前記筋力回帰式記憶手段により記憶している前記筋力回帰式に代入して身体の特定部位の筋力を演算する筋力演算手段と、
を備えることを特徴とするインピーダンス式筋力測定装置。
【請求項２】
前記インピーダンス測定手段は、前記電極セットが身体の複数の特定部位の各々に接触移動自在につながるものであり、
前記筋力回帰式記憶手段は、前記身体の複数の特定部位の各々に対応する複数の前記筋力回帰式を記憶し、
測定のための身体の特定部位の筋肉を選択入力する筋肉選択入力手段と、前記筋力回帰式記憶手段に記憶している前記複数の筋力回帰式の中から前記筋肉選択入力手段により選択入力した前記測定のための身体の特定部位に対応する前記筋力回帰式を選択する筋力回帰式選択手段とを更に備え、
前記筋力演算手段は、前記インピーダンス変化度演算手段により演算した前記インピーダンスの変化の度合いを前記筋力回帰式選択手段により選択した前記筋力回帰式に代入して前記身体の特定部位の筋力を演算することを特徴とする請求項１記載のインピーダンス式筋力測定装置。
【発明の詳細な説明】
【技術分野】
【０００１】
本発明は、インピーダンス測定により筋力を求める測定装置に関するものである。
【背景技術】
【０００２】
従来における筋力を求める測定装置は、身体の特定部位（筋肉）を動かすことによって生じる力を力センサ（外力を検出するためのセンサ）で検出することにより行うものである。例えば、特許文献１に開示される「握力計」は、固定部材と可動部材とを手で握ったときに生じる力をセンサ（力センサ）で検出することにより、握る際に係わる筋肉の筋力を測定するものである。また、特許文献２に開示される「大腿四頭筋筋力測定装置」は、下肢の膝裏を支持して下肢を伸展するときに、膝裏で膝裏支持台を押圧する力を歪ゲージ荷重検出器（力センサ）で検出することにより、大腿四頭筋の筋力を測定するものである。
【０００３】
【特許文献１】特開平９−３１３４６７号公報
【特許文献２】特開平１１−２９０３０１号公報
【発明の開示】
【発明が解決しようとする課題】
【０００４】
しかしながら、上述した力センサを用いた筋力を求める測定装置は、身体の特定部位を動かすことによって生じる力を力センサに正確に伝達し、かつ、身体の特定部位を動かすことによって生じる力によって破壊を生じさせないといった機構を有する都合から比較的複雑で頑強な構造形態であるために、製造工数やコストが高くなるといった問題があった。
【０００５】
また、延いては、握る際に係わる筋肉の筋力だけ又は大腿四頭筋筋力だけといったように、身体の限定された特定部位の筋力だけしか求めることしかできない測定装置であるといった問題があった。
【０００６】
そこで、本発明は、このような問題点に鑑みて、背景技術よりも製造工数やコストが低減し得るインピーダンス式筋力測定装置を提供することを課題とする。更に、身体の複数の特定部位の筋力も求め得るインピーダンス式筋力測定装置を提供することを課題とする。
【課題を解決するための手段】
【０００７】
本発明のインピーダンス式筋力測定装置は、身体の特定部位の筋肉を緩和状態にすべきことを指示する筋肉緩和状態指示手段と、身体の特定部位の筋肉を緊張状態にすべきことを指示する筋肉緊張状態指示手段と、身体の特定部位に接触するための電極セットを有し、前記電極セットから身体の特定部位に電流を供給すると共に電圧を検出することによって、前記筋肉緩和状態指示手段で指示した後における身体の特定部位の筋肉緩和状態のインピーダンス及び前記筋肉緊張状態指示手段で指示した後における身体の特定部位の筋肉緊張状態のインピーダンスを測定するインピーダンス測定手段と、前記インピーダンス測定手段により測定した前記筋肉緩和状態のインピーダンスと前記筋肉緊張状態のインピーダンスとのインピーダンスの変化の度合いを演算するインピーダンス変化度演算手段と、身体の特定部位の筋肉のインピーダンスの変化の度合いと身体の特定部位の筋力との相関関係を示す筋力回帰式を記憶する筋力回帰式記憶手段と、前記インピーダンス変化度演算手段により演算した前記インピーダンスの変化の度合いを前記筋力回帰式記憶手段により記憶している前記筋力回帰式に代入して身体の特定部位の筋力を演算する筋力演算手段とを備えることを特徴とする。
【０００８】
また、前記インピーダンス測定手段は、前記電極セットが身体の複数の特定部位の各々に接触移動自在につながるものであり、前記筋力回帰式記憶手段は、前記身体の複数の特定部位の各々に対応する複数の前記筋力回帰式を記憶し、測定のための身体の特定部位を選択入力する筋肉選択入力手段と、前記筋力回帰式記憶手段に記憶している前記複数の筋力回帰式の中から前記筋肉選択入力手段により選択入力した前記測定のための身体の特定部位に対応する前記筋力回帰式を選択する筋力回帰式選択手段とを更に備え、前記筋力演算手段は、前記インピーダンス変化度演算手段により演算した前記インピーダンスの変化の度合いを前記筋力回帰式選択手段により選択した前記筋力回帰式に代入して前記身体の特定部位の筋力を演算することを特徴とする。
【発明の効果】
【０００９】
本発明のインピーダンス式筋力測定装置は、筋肉緩和状態指示手段及び筋肉緊張状態指示手段により身体の特定部位の筋肉の緊張及び緩和の活動すべきことを被測定者に対して明確に伝え、インピーダンス測定手段により身体の特定部位に電極セットを接触してインピーダンスを測定し、インピーダンス変化度演算手段及び筋力演算手段による演算処理を経て身体の特定部位の筋力を求めることから、比較的簡易な構造形態にすることが可能となり、製造工数やコストの抑えたものとすることができる。
【００１０】
また、インピーダンス測定手段の電極セットを身体の複数の特定部位の各々に接触し、筋肉選択入力手段により測定のための身体の特定部位を選択入力し、筋力回帰式選択手段によりこの選択した身体の特定部位に対応する筋力回帰式を選択し、筋力演算手段によりこの選択した筋力回帰式に基づいて身体の特定部位の筋力を求めることから、身体の複数の特定部位の各々の筋力を求めることができる。
【発明を実施するための最良の形態】
【００１１】
本発明のインピーダンス式筋力測定装置は、筋肉選択入力手段、筋肉緩和状態指示手段、筋肉緊張状態指示手段、インピーダンス測定手段、インピーダンス変化度演算手段、筋力回帰式選択手段、筋力回帰式記憶手段及び筋力演算手段から構成する。
【００１２】
筋肉選択入力手段は、身体の複数の特定部位の筋肉の中から測定のための身体の特定部位の筋肉を選択入力する。筋肉緩和状態指示手段は、測定のための身体の特定部位の筋肉を緩和状態にすべきことを指示する。筋肉緊張状態指示手段は、測定のための身体の特定部位の筋肉を緊張状態にすべきことを指示する。インピーダンス測定手段は、身体の複数の特定部位の各々に接触移動自在につながり身体の特定部位に接触するための電極セットを有し、電極セットから身体の特定部位に電流を供給すると共に電圧を検出することによって、筋肉緩和状態指示手段で指示した後における身体の特定部位の筋肉緩和状態のインピーダンス及び筋肉緊張状態指示手段で指示した後における身体の特定部位の筋肉緊張状態のインピーダンスを測定する。インピーダンス変化度演算手段は、インピーダンス測定手段により測定した筋肉緩和状態のインピーダンスと筋肉緊張状態のインピーダンスとのインピーダンスの変化の度合いを演算する。筋力回帰式記憶手段は、身体の特定部位の筋肉のインピーダンスの変化の度合いと身体の特定部位の筋力との相関関係を示す筋力回帰式を身体の複数の特定部位の各々に対応する複数について記憶する。筋力回帰式選択手段は、筋力回帰式記憶手段に記憶している複数の筋力回帰式の中から筋肉選択入力手段により選択した測定のための身体の特定部位の筋肉に対応する筋力回帰式を選択する。筋力演算手段は、インピーダンス変化度演算手段により演算したインピーダンスの変化の度合いを筋力回帰式記憶手段により記憶し、筋力回帰式選択手段により選択した筋力回帰式に代入して身体の特定部位の筋力を演算する。
【００１３】
なお、ここで、緩和状態とは平常状態における筋肉の張り状態をいう。また、緊張状態とは平常状態における筋肉の張りとは異なった張力又は短縮の状態をいう。
【００１４】
以下、実施例において、具体的に説明する。
【実施例】
【００１５】
まず、図１に示す外観図、図２に示すブロック図を用いて、本発明のインピーダンス式筋力測定装置の具体的な構成について説明する。
【００１６】
本発明のインピーダンス式筋力測定装置は、図１に示すように、本体部１と、電極セット２と、本体部１に電極セット２を接続するコード３とにより大別構成する。
【００１７】
電極セット２は、身体の特定部位に電流を通電するための通電用電極２ａと、身体の特定部位に通電している際に生じる電圧を検出するための測定用電極２ｂとから成り、身体の特定部位に貼付け可能で、かつ、着脱自在なものである。
【００１８】
また、コード３は、電極セット２の電極個数分の本数を有し、一端を電極２ａ、２ｂに接続し、他端を電子回路基板ユニットの回路ラインに接続している。
【００１９】
また、本体部１は、電子回路基板ユニットをケース５１の内部に備え、また、各種キースイッチ５２（オン／オフキー５２ａ、アップキー５２ｂ、ダウンキー５２ｃ、設定キー５２ｄ）、表示器５３、外部入出力インターフェース５４の一部を構成するコネクタ５４ａをケース５１の外面に備える。
【００２０】
電子回路基板ユニットには、図２に示すように、外部入出力インターフェース５４の一部を構成するインターフェース回路５４ｂ、ブザー５５、補助記憶装置５６、フィルタ回路５７、交流電流出力回路５８、基準抵抗５９、差動増幅器６０、６１、切替器６２、Ａ／Ｄ変換器６３及びマイクロコンピュータ６４を実装する。
【００２１】
表示器５３は、測定のための身体の特定部位の筋肉の選択、筋肉緩和状態の指示、筋肉緊張状態の指示、筋力結果等についての表示をするためのものである。
【００２２】
オン／オフキー５２ａは、本装置を作動させるために入切を行うためのものである。
【００２３】
アップキー５２ｂ及びダウンキー５２ｃは、入力時におけるカーソルの移動等を行うためのものである。
【００２４】
設定キー５２ｄは、アップキー５２ｂ及びダウンキー５２ｃで選択したカーソル位置の確定等を行うためのものである。
【００２５】
コネクタ５４ａは、外部機器との入出力を行うための連絡口となるものである。
【００２６】
インターフェース回路５４ｂは、コネクタ５４ａを介して外部機器と信号の入出力を行うためのものである。
【００２７】
ブザー５５は、筋肉緊張状態の指示としてブザー音を発生するためものである。
【００２８】
補助記憶装置５６は、測定のための身体の特定部位の選択入力データ等を更新可能なように記憶するためのものである。
【００２９】
フィルタ回路５７は、マイクロコンピュータ６４から出力された信号を通電用信号に成形するためのものである。
【００３０】
交流電流出力回路５８は、フィルタ回路５７から出力された信号を一定の実行値とするためのものである。
【００３１】
基準抵抗５９は、交流電流出力回路５８の出力の一端子に接続し、交流電流出力回路５８からの定電流の変化がもたらすインピーダンスへの影響を補正するために基準とする抵抗（インピーダンス）である。
【００３２】
一方の差動増幅器６０は、基準抵抗５９の両端に生じる電圧を増幅するためのものであり、他方の差動増幅器６１は、測定用電極２ｂで検出した電圧を増幅するためのものである。
【００３３】
切替器６２は、差動増幅器６０、６１からの出力をマイクロコンピュータ６４の制御により選択出力するものである。
【００３４】
Ａ／Ｄ変換器６３は、切替器６２からの出力であるアナログ信号をデジタル信号に変換し、マクロコンピュータへ出力するものである。
【００３５】
マイクロコンピュータ６４は、ＣＰＵ、制御及び演算用プログラム・身体の特定部位の筋肉の選択項目・身体の特定部位の筋力を演算するための筋力回帰式・筋肉緩和状態や筋肉緊張状態の指示情報等を記憶するＲＯＭ、演算結果・外部より読み込んだプログラム・測定のための身体の特定部位の選択入力データ等を一時的に記憶するＲＡＭ、タイマー、ＩＯポート等を備え、測定のための身体の特定部位の筋肉の選択入力、筋肉緩和状態時や筋肉緊張状態時における身体の特定部位のインピーダンスの測定、筋肉緩和状態や筋肉緊張状態の指示、インピーダンス変化の度合い（インピーダンス変化率）や筋力等の演算、筋力の結果等の表示に関する制御等の処理を行う。ここで、身体の特定部位の筋肉の選択項目は、握る際に係わる筋肉、腹直筋、大腿四頭筋及び上腕二頭筋である。また、身体の特定部位の筋力を演算するための筋力回帰式は、身体の特定部位の筋肉のインピーダンスの変化の度合いと身体の特定部位の筋力との相関関係を示し、握る際に係わる筋肉による筋力用をＹ１＝ａ１Ｘ−ｂ１、腹直筋による筋力用をＹ２＝ａ２Ｘ−ｂ２、大腿四頭筋による筋力用をＹ３＝ａ３Ｘ−ｂ３、及び上腕二頭筋による筋力用をＹ４＝ａ４Ｘ−ｂ４とするものである（Ｘはインピーダンス変化率、ａ１〜ａ４、ｂ１〜ｂ４は係数（定数）を示す。）。筋肉緩和状態の指示情報は「測定を開始してください」の表示情報、筋肉緊張状態を指示する内容は「力を入れてください」の表示情報及びブザー音の発生情報である。
【００３６】
なお、アップキー５２ｂ、ダウンキー５２ｃ、設定キー５２ｄ、表示器５３、補助記憶装置５６及びマイクロコンピュータ６４にて筋肉選択入力手段を構成する。表示器５３及びマイクロコンピュータ６４にて筋肉緩和状態指示手段を構成する。ブザー５５、表示器５３及びマイクロコンピュータ６４にて筋肉緊張状態指示手段を構成する。電極セット２、コード３、フィルタ回路５７、交流電流出力回路５８、基準抵抗５９、差動増幅器６０、６１、切替器６２、Ａ／Ｄ変換器６３及びマイクロコンピュータ６４にてインピーダンス測定手段を構成する。マイクロコンピュータ６４にてインピーダンス変化度演算手段、筋力回帰式記憶手段、筋力回帰式選択手段及び筋力演算手段を構成する。
【００３７】
次に、図３に示すフローチャート図、図４に示す筋力（握力）とインピーダンス変化の度合い（インピーダンス変化率）との関係図を用いて、本発明のインピーダンス式筋力測定装置の上述した構成を有するインピーダンス式筋力測定装置の使用態様及び機能動作について説明する。
【００３８】
初めに、本体部１のケース５１のオン／オフキー５２ａが押されると、本装置の各部が作動状態となり、マイクロコンピュータ６４からの制御により身体の特定部位の筋肉の選択項目（握る際に係わる筋肉・腹直筋・大腿四頭筋・上腕二頭筋）を表示器５３に表示する。ここで、ユーザーは、アップキー５２ｂ、ダウンキー５２ｃ及び設定キー５２ｄを用いて、表示器５３に表示される身体の特定部位の筋肉の選択項目（握る際に係わる筋肉・腹直筋・大腿四頭筋・上腕二頭筋）の中から目的とする測定のための身体の特定部位の筋肉（例えば、握る際に係わる筋肉）を選択入力する。より具体的には、アップキー５２ｂ又はダウンキー５２ｃが押されると、表示器５３に表示される身体の特定部位の筋肉の選択項目（握る際に係わる筋肉・腹直筋・大腿四頭筋・上腕二頭筋）の中の一つの身体の特定部位の筋肉（例えば、上腕二頭筋）を示すカーソル部分が別の身体の特定部位の筋肉（例えば、握る際に係わる筋肉）に移動し、設定キー５２ｄが押されると、マイクロコンピュータ６４の制御によりカーソル部分が示す身体の特定部位の筋肉（握る際に係わる筋肉）を確定し、確定したデータを補助記憶装置５６に記憶する（ステップＳ１）。
【００３９】
続いて、表示器５３において、被測定者に対する筋肉緩和状態の指示として「測定開始しますか」の表示を行う（ステップＳ２）。
【００４０】
続いて、図１に示すように、被測定者の目的とする測定のための身体の特定部位（前腕）に電極を貼付けによって装着され（図１参照）、筋肉（握る際に係わる筋肉）の緩和状態が保持され、設定キー５２ｄが押されると、マイクロコンピュータ６４の制御により身体の特定部位のインピーダンスの測定を開始する。そして、身体の特定部位の筋肉緩和状態のインピーダンスを取得する。より具体的には、マイクロコンピュータ６４から出力した信号に基づいて、通電用電極２ａから被測定者の身体の特定部位（前腕）に電流を通電し、測定用電極２ｂによりその際に検出した身体の特定部位（前腕）に生じた電圧に基づく信号レベルによるインピーダンスを身体の特定部位の筋肉緩和状態のインピーダンスとしてマイクロコンピュータ６４のＲＡＭに一時的に記憶する（ステップＳ３）。
【００４１】
続いて、被測定者に対する筋肉緊張状態の指示として、ブザー５５においてブザー音を発生し、表示器５３において「力を入れてください」の表示を行う（ステップＳ４）。
【００４２】
続いて、マイクロコンピュータ６４の制御により身体の特定部位の筋肉緊張状態のインピーダンスを取得する。より具体的には、筋肉緊張状態の指示の後に、緩和状態時における身体の特定部位（前腕）に生じた電圧に基づく信号レベルよりも一定以上の最大信号レベルを受けたときに、その最大信号レベルによるインピーダンスを身体の特定部位の筋肉緊張状態のインピーダンスとしてマイクロコンピュータ６４のＲＡＭに一時的に記憶する。そして、マイクロコンピュータ６４の制御により身体の特定部位のインピーダンスの測定を終了する（ステップＳ５）。
【００４３】
続いて、マイクロコンピュータ６４の制御によりインピーダンス変化率を演算する。より具体的には、マイクロコンピュータ６４のＲＡＭに一時的に記憶している緊張状態時における身体の特定部位のインピーダンス（Ｚ１）を緩和状態時における身体の特定部位のインピーダンス（Ｚ０）で除した値、すなわち、Ｚ１／Ｚ０をインピーダンス変化率（ΔＺ）として演算し、ＲＡＭに一時的に記憶する（ステップＳ６）。
【００４４】
続いて、マイクロコンピュータ６４において、ＲＯＭに記憶する身体の特定部位の筋力を演算するための複数の筋力回帰式（握る際に係わる筋肉による筋力用、腹直筋による筋力用、大腿四頭筋による筋力用、上腕二頭筋による筋力用）の中から補助記憶装置５６に記憶している選択した身体の特定部位の筋肉（握る際に係わる筋肉）に対応する筋力回帰式（握る際に係わる筋肉による筋力用）を選択する（ステップＳ７）。
【００４５】
続いて、マイクロコンピュータ６４において、選択した筋力回帰式（握る際に係わる筋肉による筋力用）Ｙ１＝ａ１Ｘ−ｂ１の変数Ｘに、ＲＡＭに一時的に記憶しているインピーダンス変化率（ΔＺ）を代入し、握る際に係わる筋肉による筋力Ｙ１を演算する（ステップＳ８）。
【００４６】
続いて、表示器５３において、マイクロコンピュータ６４の制御によりこの演算された握る際に係わる筋肉による筋力の表示を行う（ステップＳ９）。以上のような一連の流れを経て動作が完了する。
【００４７】
なお、上述した実施例では、インピーダンス変化の度合いとしてインピーダンス変化率（ΔＺ＝Ｚ１／Ｚ０）を演算する態様としたものであるが、例えば、緊張状態時における身体の特定部位のインピーダンス（Ｚ１）と緩和状態時における身体の特定部位のインピーダンス（Ｚ０）との差を緩和状態時における身体の特定部位のインピーダンス（Ｚ０）除した値、すなわち、｜（Ｚ１−Ｚ０）｜／Ｚ０をインピーダンス変化量（ΔＺ）として演算する態様にしても同様に実施可能である。
【００４８】
また、上述した実施例では、身体の複数の特定部位の筋肉の中の一つの特定部位の筋肉を選択して測定する態様としたものであるが、選択せずに身体の一つの特定部位の筋肉だけを測定する態様にしても同様に実施可能である。この場合には、筋肉選択入力手段と筋力回帰式選択手段を除き、インピーダンス測定手段における電極セットを身体の一つの特定部位だけにつながるものとし、筋力回帰式記憶手段を身体の一つの特定部位の筋肉についての筋力回帰式を記憶し、筋力演算手段をこの身体の一つの特定部位の筋肉についての筋力回帰式に、インピーダンス変化度演算手段により演算したインピーダンスの変化の度合いを代入するといった構成で足りる。
【図面の簡単な説明】
【００４９】
【図１】本発明の一実施例としてのインピーダンス式筋力測定装置の外観図である。
【図２】図１の装置の全体構成を示すブロック図である。
【図３】図１の装置の使用態様及び機能動作の手順を示すフローチャート図である。
【図４】握力とインピーダンス変化率との相関グラフを示す図である。
【符号の説明】
【００５０】
１  本体部
２  電極セット
２ａ  通電用電極
２ｂ  通電用電極
３  コード
５１  ケース
５２  各種キースイッチ
５２ａ  オン／オフキー
５２ｂ  アップキー
５２ｃ  ダウンキー
５２ｄ  設定キー
５３  表示器
５４  外部入出力インターフェース
５４ａ  コネクタ
５４ｂ  インターフェース回路
５５  ブザー
５６  補助記憶装置
５７  フィルタ回路
５８  交流電流出力回路
５９  基準抵抗
６０、６１  差動増幅器
６２  切替器
６３  Ａ／Ｄ変換器
６４  マイクロコンピュータ
【図１】
2005198849.tif 000003
【図２】
2005198849.tif 000004
【図３】
2005198849.tif 000005
【図４】
2005198849.tif 000006